(57)【特許請求の範囲】
【請求項１】
アームの先端に照明体を、アーム軸線に交差する縦軸回りの旋回方向Ｘと、アーム軸線に交差する横軸回りの首振り方向Ｙと、アーム軸線の延長軸回りのねじり方向Ｚに対して姿勢変更自在に取付けて成る照明器具であって、
アームに取付けられた支軸にボール部を設けたボール手段と、照明体に設けられた軸受手段と、前記ボール手段と前記軸受手段の間に介装された中間手段とを備え、
前記中間手段は、対向する球面状凹部を形成した半割り状のソケット片部と、該ソケット片部から側方に延びる半割り状の延長軸片部と、該延長軸片部の軸端に形成された半割り状の支軸片部とを備えた一対の半割り状の分割体を合掌せしめた状態で、合掌された延長軸片部を相互に締着連結手段により連結することにより、ボール部を挟んで抱持するソケット片部により形成されるソケット部により照明体を旋回方向Ｘとねじり方向Ｚに姿勢変更可能とするボールジョイントを構成すると共に、合掌された延長軸片部により形成される延長軸部及び／又は支軸片部により形成される支軸部を照明体の軸受手段に回動自在に軸支せしめることにより照明体を首振り方向Ｙに姿勢変更可能とする首振り回動手段を構成して成り、
前記分割体を合掌せしめた状態で、一対の支軸片部の対向面を相互に接当係止せしめることにより係止面を構成する一方、一対のソケット片部及び一対の延長軸片部の対向面を相互にギャップを介して離間せしめることにより非係止面を構成し、締着連結手段により前記ギャップの範囲で一対のソケット片部を締着・弛緩自在に構成して成ることを特徴とする照明器具。
【請求項２】
締着連結手段をボルト及びナットにより構成し、ボルトの頭部を照明体の外部から締着操作可能に構成して成ることを特徴とする請求項１に記載の照明器具。
【請求項３】
支軸部の軸端近傍部を保持する固定軸受部と可動軸受部とから成り、可動軸受部を支軸部の軸端近傍部の周面に対して調節自在に押圧せしめる調圧手段を設けて成ることを特徴とする請求項１又は２に記載の照明器具。
【請求項４】
一対の支軸片部の対向面のうち延長軸片部に近傍する個所に形成した係止面により、締着連結手段により一対の延長軸片部を締着したとき一対の支軸片部の軸端を相互に拡開せしめる支点ｐを構成して成ることを特徴とする請求項３に記載の照明器具。
【発明の詳細な説明】
【０００１】
【発明の属する技術分野】
本発明は、照明器具に係り、例えば、デスク等の家具に装着することにより使用される照明器具に関する。
【０００２】
【従来の技術】
デスク用の照明器具としては、デスクに固定される支柱の上端から屈折して水平方向に延びるアームを設け、該アームの先端に照明体を取付けたものが公知である。通常、デスクの天板を照らす光の照射方向を変更自在とするため、照明体は、アーム軸線に交差する鉛直軸回りの旋回方向Ｘと、アーム軸線に交差する水平軸回りの首振り方向Ｙに姿勢変更自在となるように構成されている。
【０００３】
【発明が解決しようとする課題】
従来技術は、旋回方向Ｘを規定する鉛直軸と、首振り方向Ｙを規定する水平軸が、何れも軸部材により形成され、旋回方向Ｘと首振り方向Ｙの回動を独立して行わしめる構成であるため、照明体の姿勢を変更する際、選択できる姿勢に制約を受ける。
【０００４】
そこで、照明体の姿勢変更の多様化を図るためには、前記の鉛直軸と水平軸に加えて、アーム軸線の延長軸回りのねじり方向Ｚの姿勢変更を可能とする軸部材を追加すれば良いことが知見される。然しながら、この場合、アームと照明体の間に３本の軸部材を介装しなければならず、部品点数の増加と、装置の大型化を招来する問題がある。しかも、多様化された旋回方向Ｘと首振り方向Ｙとねじり方向Ｚの三方向の回動は、３本の軸部材により相互に独立した動きとされるため、スムース且つ柔軟な姿勢変更を行い難いという問題がある。
【０００５】
【課題を解決するための手段】
本発明は、ボールジョイントを設けることにより、照明体の柔軟且つ自在な姿勢変更を可能にすると共に、ボールジョイントを採用することにより新たに発見された種々の問題を解決した照明器具を提供するものである。
【０００６】
そこで、本発明が手段として構成したところは、アームの先端に照明体を、アーム軸線に交差する縦軸回りの旋回方向Ｘと、アーム軸線に交差する横軸回りの首振り方向Ｙと、アーム軸線の延長軸回りのねじり方向Ｚに対して姿勢変更自在に取付けて成る照明器具であって、アームに取付けられた支軸にボール部を設けたボール手段と、照明体に設けられた軸受手段と、前記ボール手段と前記軸受手段の間に介装された中間手段とを備え、前記中間手段は、対向する球面状凹部を形成した半割り状のソケット片部と、該ソケット片部から側方に延びる半割り状の延長軸片部と、該延長軸片部の軸端に形成された半割り状の支軸片部とを備えた一対の半割り状の分割体を合掌せしめた状態で、合掌された延長軸片部を相互に締着連結手段により連結することにより、ボール部を挟んで抱持するソケット片部により形成されるソケット部により照明体を旋回方向Ｘとねじり方向Ｚに姿勢変更可能とするボールジョイントを構成すると共に、合掌された延長軸片部により形成される延長軸部及び／又は支軸片部により形成される支軸部を照明体の軸受手段に回動自在に軸支せしめることにより照明体を首振り方向Ｙに姿勢変更可能とする首振り回動手段を構成して成り、前記分割体を合掌せしめた状態で、一対の支軸片部の対向面を相互に接当係止せしめることにより係止面を構成する一方、一対のソケット片部及び一対の延長軸片部の対向面を相互にギャップを介して離間せしめることにより非係止面を構成し、締着連結手段により前記ギャップの範囲で一対のソケット片部を締着・弛緩自在に構成して成る点にある。
【０００７】
前記構成を実施するに際しては、締着連結手段をボルト及びナットにより構成し、ボルトの頭部を照明体の外部から操作可能に構成することが好ましい。
【０００８】
また、支軸部の軸端近傍部を保持する固定軸受部と可動軸受部とから成り、可動軸受部を支軸部の軸端近傍部の周面に対して調節自在に押圧せしめる調圧手段を設けることが好ましい。
【０００９】
この際、一対の支軸片部の対向面のうち延長軸片部に近傍する個所に形成した係止面により、締着連結手段により一対の延長軸片部を締着したとき一対の支軸片部の軸端を相互に拡開せしめる支点ｐを構成することが好ましい。
【００１０】
【発明の実施の形態】
以下図面に基づいて本発明の好ましい実施形態を詳述する。
【００１１】
図１は、本発明の照明器具１を装備したデスク２の１例を示している。デスク２の天板３には、下側書棚４と上側書棚５が着脱自在に積層設置され、図２に示すように、下側書棚４の背板４ａと上側書棚５の背板５ａを相互に前後に偏位せしめている。即ち、デスク２の前後方向に対して、前方位置に下側書棚４の背板４ａが位置し、後方位置に上側書棚５の背板５ａが位置せしめられ、背板４ａの後面と背板５ａの前面との間に図示のような距離ｄを有する。また、上側書棚５の棚板５ｂは、下側書棚４の背板４ａの上端よりも上方位置に配置され、図示のように充分な距離Ｄを有する。尚、上側書棚５は下側書棚４から取外し自在であり、下側書棚４は天板３から取外し自在である。
【００１２】
照明器具１は、支柱６と、該支柱の上端から屈折してほぼ水平方向に延びるアーム７と、該アーム７の先端に連結された照明体８を備えており、デスク２に対する装着のバリエーションを持たせるため、次のような装着形態を選択的に可能とする。
【００１３】
図２に示す第一の装着形態において、デスク２には下側書棚４と上側書棚５が積層設置されており、照明器具１の支柱６を下側書棚４の背板４ａの背面に固着せしめられる。前述のように上下に位置する背板５ａ、４ａは、前後方向に距離ｄを有しているので、支柱６の上部は、上側書棚５の背板５ａの前面側に突出する。そして、前述のように上側書棚５の棚板５ｂが充分な距離Ｄを有して上方に位置するので、アーム７は該棚板５ｂの下方空間に配置され、照明体８は天板３に光を照射可能な位置に配置される。後述する図５（Ａ）に示すように、支柱６には下端近傍部において上下方向に間隔をあけて２個所に取付孔９ａ、９ｂが貫設され、下側書棚４の背板４ａの背面には下端近傍部において上下方向に間隔をあけて２個所に埋込みナット１０ａ、１０ｂが設けられており、選択された取付孔９ａ又は９ｂと選択された埋込みナット１０ａ又は１０ｂを相互に合致せしめた状態で、取付孔に挿通した頭付きボルト１１を埋込みナットに螺着する構成とされ、このような選択により支柱６の上下取付位置を変更可能としている。そこで、図２に示す第一の装着形態では、下側の取付孔９ｂを下側の埋込みナット１０ｂに合致せしめた状態で頭付きボルト１１を締着しており、従って、支柱６は変更可能な上下取付位置のうち、最も下側の位置に取付けられている。
【００１４】
図３に示す第二の装着形態において、下側書棚４から上側書棚５が取外されている。従って、照明器具１は、支柱６の上部を下側書棚４の背板４ａから上方に延出せしめ、自由な空間にアーム７及び照明体８を配置している。そこで、前述のように取付孔９ａ、９ｂと埋込みナット１０ａ、１０ｂを選択することにより、背板４ａに対する支柱６の取付位置を変更することが可能である。即ち、前述の図２に示す最下位置の他、図３及び図５（Ａ）に示すように上側の取付孔９ａを上側の埋込みナット１０ａに合致せしめた状態で頭付きボルト１１を締着することにより支柱６を前記最下位置よりもやや上方に位置せしめた中間位置が可能であり、更に、図示省略しているが、下側の取付孔９ｂを上側の埋込みナット１０ａに合致せしめた状態で頭付きボルト１１を締着することにより支柱６を前記中間位置よりも更に上方に位置せしめた最上位置が可能である。
【００１５】
図４に示す第三の装着形態において、デスク２の天板３からは全ての書棚が取外されている。この場合、照明器具１の支柱６は、取付具１２を使用することにより天板３に装着される。図５（Ｂ）及び図７（Ｂ）に示すように、取付具１２は、締着ボルト１３を備えたコ字形のクランプ金具１４により天板３の縁部を挟持する構成とされ、クランプ金具１４から起立する横断面コ字形のブラケット１５に支柱６の下端近傍部を嵌合した状態で、前述の一対の取付孔９ａ、９ｂに挿入された一対の頭付きボルト１１、１１をブラケット１５に挿通せしめると共にナット１６、１６を締着する構成である。尚、前記ボルト及びナットを含んでブラケット１５を被うカバー部材１７が設けられている。
【００１６】
照明器具１の支柱６は、図６及び図７（Ａ）に示すように、アルミニウム等の軽金属その他の素材による押出し材又は引抜き材から成り、中空の柱材を構成することが好ましく、中央に形成された断面角形の角筒部１８を長手方向に延設すると共に、左右両側壁の内面に沿って長手方向に延びるほぼ筒状のリブ１９、１９を形成し、背壁には背面に開口する溝２０を長手方向に沿って形成している。そこで、図５（Ａ）に示すように、支柱６の下端開口を蓋材２１により閉鎖し、該蓋材２１を固定するビス２２、２２を前記リブ１９、１９にねじ込み固着している。
【００１７】
図２及び図３に示した第一及び第二の装着形態における支柱６の取付状態を安定ならしめるため、下側書棚４における背板４ａの背面には、支柱６を抱持する固定バンド２３が設けられており、該固定バンド２３の両端の取付孔に挿入された頭付きボルト２４、２４を、背板４ａの背面に設けられた埋込みナット２５、２５に螺着する構成とされている。従って、第一及び第二の装着形態において、固定バンド２３は頭付きボルト２４、２４により緊締され、支柱６を背板４ａと固定バンド２３の間に締着する。一方、頭付きボルト２４、２４を弛め又は取外すことにより、上述したような支柱６の上下取付位置の変更が可能であり、しかも、図４に示すような下側書棚４の取外しが可能である。
【００１８】
照明器具１のアーム７は、図８に示すように、それぞれ合成樹脂製の外アーム２６に内アーム２７をスライド自在に内嵌した伸縮アームを構成している。図９及び図１０に示すように、外アーム２６は、上下に分割された上体２６ａと下体２６ｂを重ね合わせた状態で、両側縁部を相互にビス等により結合することにより中空体を形成し、下体２６ｂの尾端部に顎部２８を一体に形成している。図１０に示すように、顎部２８は、底壁２８ａから横断面角形の角軸部２９を垂設しており、該角軸部２９に金属製の補強コアー３０を内挿している。そこで、支柱６の上端から角筒部１８に角軸部２９を挿入すると共に、支柱６の上端開口を顎部２８の底壁２８ａにより閉鎖し、該底壁２８ａを固定するビス３１、３１を支柱６のリブ１９、１９にねじ込み固着している。
【００１９】
図８及び図９に示すように、内アーム２７は、皿体２７ａの上部開口を蓋体２７ｂにより閉鎖しビス等により結合することにより中空体を形成し、皿体２７ａの尾端近傍部における両側壁の外側に断面コ字形のスライドガイド３２、３２を設けている。中空体を構成する外アーム２６の両側内面にはスライド溝３３、３３が形成されており、該スライド溝３３、３３は、外アーム２６の先端において閉鎖壁３３ａにより閉鎖されている。そこで、内アーム２７は、外アーム２６に入れ子状に挿入された状態で、前記スライドガイド３２、３２をスライド溝３３、３３に摺動自在に嵌合せしめる。図８に示すように内アーム２７を外アーム２６に押込んだ状態では、内アーム２７の後端部が外アーム２６の後端壁に接当する。この状態から内アーム２７を引出すと、内アーム２７と共にスライドガイド３２、３２がスライド溝３３、３３に沿って摺動し、スライドガイド３２、３２の前端が閉鎖壁３３ａ、３３ａに接当した状態で停止する。
【００２０】
図２ないし図４並びに図８及び図１２に示すように、照明体８は、横方向に長く延び下向きに開口する庇状のシェード３４を備え、該シェード３４に直管式その他の蛍光ランプから成る光源体３５及び点灯装置（図示せず）を装備すると共に、光源体３５の上方に沿って延びる反射板３６を設けている。図１２に示すように、シェード３４の長手方向の中央個所には窓孔を介して透明又は半透明の表示板３７が嵌着されており、光源体３５の光を反射板３６の透孔を通過して表示板３７に透光せしめ、該表示板３７に表示された文字又は図柄等の標章を顕在的に表示する。シェード３４の庇縁３４ａの内側には、透光を緩和するために乳白色等の合成樹脂板等から成る曇板３８が設けられている。曇板３８は、庇縁の長手方向全長にわたって延びるスカート部３８ａの上部から内側に向けて一体に突設された取付リブ３８ｂを前記反射板３６の前縁にビス等の固定手段３９で固定しており、スカート部３８ａの長手方向両端から内側に折曲された取付片３８ｃをシェード３４の両側壁の内側に固定している。更に、曇板３８の長手方向中央部には、スカート部３８ａとシェード３４の内面との間を遮蔽する遮蔽部３８ｄがスカート部３８ａから一体に突設されている。そこで、光源体３５から照射される照明光のうち、庇縁３４ａの下方に向けて照射される光は、曇板３８のスカート部３８ａによって緩和され防眩されるので、デスク使用者の顔面への直接照射が防止される。一方、表示板３７に照射される光は、遮蔽部３８ｄにより外部への直接的な漏洩が防止されるので、表示板３７に表示された標章の顕在化に貢献する。しかも、シェード３４の庇縁３４ａを手指で把持することにより照明体８の姿勢を変更せしめる際、前記遮蔽部３８ｄが指当たりとして役立つ。
【００２１】
照明体８は、アーム７の先端（内アーム２７の先端）に対して、図１７に示すように、伸縮自在なアーム７の軸線Ａに交差する縦軸Ｖ回りの旋回方向Ｘと、前記軸線Ａに交差する横軸Ｈ回りの首振り方向Ｙと、前記軸線Ａの延長軸Ｅ回りのねじり方向Ｚに対して姿勢変更自在となるように取付けられている。旋回方向Ｘとねじり方向Ｚの姿勢変更は、後述するようなボールジョイントにより達成される。このため、旋回方向Ｘを規定する縦軸Ｖは、鉛直方向の一つの縦軸に限定されず、ボールの中心を通り且つ鉛直軸（図中のＶ）と横軸Ｈとの間において傾斜する無数の縦軸を含んでいることを諒解されたい。また、ねじり方向Ｚを規定する延長軸Ｅも、アーム軸Ａと同一線上で延びる同軸に限定されず、ボールの中心を通り且つ同軸（図中のＥ）と横軸Ｈとの間において傾斜する無数の縦軸を含んでいることを諒解されたい。
【００２２】
図１１及び図１２に示すように、アーム７と照明体８の間には、支軸４０にボール部４１を設けたボール手段４２と、中間手段４５が配設されており、中間手段４５は、前記ボール部４１を抱持するソケット部４３と、該ソケット部から両側方に延びる延長軸部４４、４４と、該延長軸部から更に延びる支軸部６１、６１を備えている。
【００２３】
ボール手段４２は、内アーム２７の先端に形成された筒部４６に支軸４０を挿入すると共にピン等により抜止め状に固定され、図例では回転不能に固定しており、ボール部４１を内アーム２７から突出せしめる。この際、支軸４０の首部には筒軸４７が外挿され、前記筒部４６の開口近傍において拡径された径大の環状壁部４８に筒軸４７を回動自在に内嵌せしめている。
【００２４】
中間手段４５は、可撓性を有する合成樹脂により成形した一対の半割り状の分割体４５ａ、４５ｂを合掌状態に結合することにより構成されている。即ち、分割体４５ａ、４５ｂをボルト及びナットから成る締着連結手段４９により結合し締着することにより、ボール部４１を挟んで抱持する球面状凹部を備えたソケット片部４３ａ、４３ｂの一対により前記ソケット部４３を構成すると共に、該ソケット片部４３ａ、４３ｂから延設された延長軸片部４４ａ、４４ｂの一対により前記延長軸部４４を構成し、更に、該延長軸片部４４ａ、４４ｂから延長された支軸片部６１ａ、６１ｂの一対により前記支軸部６１を構成する。
【００２５】
図１５及び図１６に示すように、半割り状の分割体４５ａ、４５ｂは、ソケット片部４３ａ、４３ｂの間にボール部４１を抱持して合掌せしめた状態で、一対の支軸片部６１ａ、６１ｂの対向面を相互に接当係止せしめる係止面６２を形成する一方、一対のソケット片部４３ａ、４３ｂの対向面と一対の延長軸片部４４ａ、４４ｂの対向面のそれぞれに相互にギャップｄを介して離間せしめられた非係止面６３、６４を形成しており、延長軸片部４４ａ、４４ｂに締着連結手段４９を挿通するための貫通孔４５を設けている。尚、貫通孔４５は、ボール手段４２の支軸４０側に配置される延長軸片部４４ｂにナットを回動不能に嵌入するナット受入開口６５ｂを備えると共に、ボール部４１の先端側に配置される延長軸片部４４ａにボルトの頭部を回動自在に嵌入するボルト頭部受入開口６５ａを備えている。
【００２６】
図１６に示すように、ボール手段４２のボール部４１の周面が真球状であるのに対して、ソケット片部４３ａ、４３ｂの球面状凹部は真球状でなく、前記非係止面６３に向けてソケット片部４３ａ、４３ｂの次第に肉厚を薄く形成することにより、非係止面６３に近傍する領域においてソケット片部４３ａ、４３ｂの内面とボール部４１の周面との間に隙間ｓが形成されるように構成されている。
【００２７】
尚、分割体４５ａ、４５ｂを合掌することにより構成される中間手段４５は、延長軸部４４よりも支軸部６１を径大に形成し、延長軸部４４よりも支軸部６１の間に異径段部６６を設けている。
【００２８】
そこで、ソケット片部４３ａ、４３ｂの間にボール部４１を抱持せしめた状態で一対の分割体４５ａ、４５ｂを合掌せしめると、支軸片部６１ａ、６１ａが相互に係止面６２を接当係止する反面、ソケット片部４３ａ、４３ｂ及び延長軸片部４４ａ、４４ｂがそれぞれ相互に非係止面６３、６４によりギャップｄを形成する。従って、この状態で、延長軸片部４４ａ、４４ｂの貫通孔６５にボルト及びナットから成る締着連結手段４９を挿入し締着することにより、中間手段４５が組立てられる。この際、締着連結手段４９の締着力を調節することにより、ソケット部４３とボール部４１の間の摩擦抵抗を調節することができ、前述の旋回方向Ｘ及びねじり方向Ｚに照明体８を姿勢変更せしめる際の動きの固さを最適となるように設定できる。
【００２９】
組立てられた中間手段４５の延長軸部４４及び／又は支軸部６１は、照明体８に設けられた軸受手段５０、５０に軸支される。図例の場合、シェード３４のリブ壁３４ｃと下側カバー３４ｂのそれぞれに形成したほぼ半円形の切欠部を対向せしめることにより軸受手段５０を構成しており、延長軸部４４のうち異径段部６６に近傍する部位を軸受手段５０に軸支せしめ、異径段部６６を軸受手段５０の側面に適合せしめている。尚、中間手段４５と軸受手段５０の関係は、図例のように延長軸部４４を軸受手段５０に軸支せしめる構成とする他、支軸部６１を軸受手段５０に軸支せしめる構成としても良く、更には延長軸部４４と支軸部６１の両者を軸受手段５０に軸支せしめるように構成しても良い。
【００３０】
図１１に示すように、一方の軸受手段５０の近傍には調圧手段５３が設けられており、該調圧手段５３は、図１３に示すように、対向配置された固定軸受部５１と可動軸受部５２を備え、シェード３４側に設けられた固定軸受部５１と、該固定軸受部５１に対面して取付けられる可動軸受部５２との間に中間手段４５の支軸部６１を保持せしめる。可動軸受部５２は、両翼部５２ａ、５２ｂの間に支軸部６１を抱持せしめる凹曲部５２ｃを屈曲形成した板バネから成り、一方の翼部５２ａを固定軸受部５１に対してピン等で固定される反面、他方の翼部５２ｂに操作手段５５を設けている。図例の場合、操作手段５５は、固定軸受部５２から突出せしめられ前記翼部５２ｂに貫通されたネジ軸５４と、該ネジ軸５４に螺合する締着部５５ａと摘み部５５ｂを備えており、前記摘み部５５ｂをシェード３４の下側カバー３４ｂから突出せしめている。従って、摘み部５５ｂを回動することにより締着部５５ａをネジ軸５４に対して前進せしめると、翼部５２ｂが緊張され、凹曲部５２ｃにより支軸部６１の周面を緊締する。反対に、締着部５５ａをネジ軸５４上で後退せしめると、板バネの復元力により翼部５２ｂが追従して後退し、支軸部６１の周面上で凹曲部５２ｃの緊締力を緩める。従って、前記調圧手段５３により、照明体８が自重により前記首振り方向Ｙに垂れ下がることを防止できるだけでなく、ユーザが首振り方向Ｙに対して照明体８を姿勢変更せしめる際、その動きの固さが最適となるように設定できる。
【００３１】
ところで、照明器具１を長期使用し、照明体８を旋回方向Ｘ及びねじり方向Ｚに繰返し姿勢変更せしめると、ソケット部４３とボール部４１の間の摩擦抵抗が次第に減少し、照明体８の旋回方向Ｘ及びねじり方向Ｚに対する動きの固さが緩くなるが、その場合は、ユーザにおいて締着連結手段４９のボルトを締着し直すことによりソケット片部４３ａ、４３ｂを改めてボール部４１に対して強く締着せしめ、照明体８の動きの固さを最適となるように調節すれば良い。図例の場合、図１１に示すように、照明体８は、下側カバー３４ｂを含むシェード３４が軸受手段５０、５０を挟んで内方に凹曲された凹部６７を形成しており、図２の鎖線に示すように照明体８を下向き垂れ下がり状に姿勢変更すると、前記凹部６７が水平姿勢から垂直姿勢へと姿勢変更され、中間手段４５の前方空間を開放するので、該凹部６７による開放空間を介して、照明器具１の前方からドライバーその他の工具手段により締着連結手段４９のボルトを操作することができる。尚、凹部６７に代えて、例えば、照明体８の外部からドライバー等の工具をボルトに向けて挿入自在な孔等を設けても良い。また、ボルト頭部にはドライバー係合溝の他、コイン等の係合溝、その他の回転操作手段を設けておけば良い。
【００３２】
前記調節のために締着連結手段４９を締着すると、前述のように、非係止面６３、６４によるギャップｄが形成されているので、ソケット片部４３ａ、４３ｂ及び延長軸片部４４ａ、４４ｂは、好適に締着され、ソケット部４３とボール部４１の間の摩擦抵抗を増す。これに対して、支軸片部６１ａ、６１ａは、常時、係止面６２を接当係止しているので、締着連結手段４９の締着により支軸部６１の外径を縮径することはなく、締着の有無に関わらず常に軸受手段５０に好適に軸支されている。
【００３３】
図示実施例の場合、係止面６２が支軸片部６１ａ、６１ａの全長にわたり設けており、締着連結手段４９により延長軸片部４４ａ、４４ｂを締着した際、図１５に示すように、係止面６２のうち異径段部６６に近傍する部位が支点ｐを形成することにより、図示矢印ｋで示すように支軸片部６１ａ、６１ａの軸端を拡開せしめるように作用し、支軸部６１を調圧手段５３に対して圧接せしめる。尚、このような支点ｐの形成と、前述のような軸受手段５０に対する部位での縮径を防止する構成とするためには、係止面６２は、支軸片部６１ａ、６１ａの全長にわたり設けなくても良く、少なくとも延長軸片部４４ａ、４４ｂに近傍する個所（図例における異径段部６６に近傍する個所）に設けておけば良い。
【００３４】
上記から明らかなように、アーム７と照明体８の間には、中間手段４５のソケット部４３とボール手段４２のボール部４１によるボールジョイントが構成されている。従って、ボールジョイントの自在性により、照明体８は、前記旋回方向Ｘと首振り方向Ｙとねじり方向Ｚに関して、それぞれの方向並びにそれらを複合せしめた方向への姿勢変更が可能であり、本発明の実施形態をそのように構成しても良い。
【００３５】
然しながら、図示の実施形態においては、ボールジョイントにより旋回方向Ｘとねじり方向Ｚに関する姿勢変更だけを可能ならしめ、首振り方向Ｙに関する姿勢変更は前記延長軸部４４及び／又は支軸部６１と軸受手段５０とから成るピボット式の首振り回動手段により可能ならしめる構成としている。
【００３６】
図１１に示すように、中間手段４５の一方の分割体４５ｂのソケット片部４３ｂは、ボール手段４２の支軸４０の首部に外挿された筒軸４７を挿通せしめる制御孔５６を開設している。そこで、制御孔５６を横向きに延びる長孔に形成しており、これにより中間手段４５が旋回方向Ｘに向けて回動することを可能ならしめている。
【００３７】
然るに、図１２に示すように、制御孔５６は、中間手段４５の首振り方向Ｙの回動を阻止するように上下縁部を筒軸４７に係合せしめた係合手段５７を構成する。図例の場合、筒軸４７における上下部を切除された平坦軸部４７ａを制御孔５６に内嵌せしめている。従って、図示実施形態の構成によれば、ボールジョイントの部分において照明体８が自重により前記首振り方向Ｙに垂れ下がることをなく、首振り方向Ｙに対する照明体８の姿勢変更は、ボールジョイントの両側方に設けられた延長軸部４４と軸受手段５０とから成るピボット式の首振り回動手段により達成される。
【００３８】
照明体８の光源体３５に電流を供給するための導線は、照明体８からアーム７の中空部を経て、支柱６の溝２０に案内され、床面に導かれる。このため、ボールジョイントにより、照明体８がねじり方向Ｚに向けて自由に回動自在であると、照明体８とアーム７の間において導線がねじられ断線の虞れを生じることになる。そこで、ボール手段４２と中間手段４５の間には、中間手段４５のねじり方向Ｚの回動範囲を制限するストッパ手段５８が設けられている。図示実施形態の場合、図１２及び図１４に示すように、筒軸４７の外周面に突片５９が設けられ、該筒軸４７を回動自在に受入れる径大の環状壁部４８の内周面に周方向に間隔をあけて受片６０ａ、６０ｂが設けられている。図例の場合、中間手段４５をほぼ水平姿勢としたとき、図１４に示すように突片５９が上向き姿勢とされ、これに対して一対の受片６０ａ、６０ｂが突片５９の左右両側方に間隔をあけて配置されている。従って、この状態から中間手段４５を時計針方向に回動すると、係合手段５７により中間手段４５と一体的に回動する筒軸４７の突片５９が右側の受片６０ｂに接当し、これにより中間手段４５の時計針方向の回動を停止せしめる。反対に、中間手段４５を反時計針方向に回動すると、係合手段５７により中間手段４５と一体的に回動する筒軸４７の突片５９が左側の受片６０ａに接当し、これにより中間手段４５の反時計針方向の回動を停止せしめる。
【００３９】
【発明の効果】
本発明によれば、アーム７に取付けられた支軸４０にボール部４１を設けたボール手段４２と、照明体８に設けられた軸受手段５０と、前記ボール手段４２と軸受手段５０の間に介装された中間手段４５とを備え、中間手段４５のソケット部４３と前記ボール部４１により少なくとも照明体８を旋回方向Ｘとねじり方向Ｚに姿勢変更可能とするボールジョイントを構成し、中間手段４５の延長軸部４４及び／又は支軸部６１により照明体８を首振り方向Ｙに姿勢変更可能とする首振り回動手段を構成する。そこで、このようなボールジョイントによれば、旋回方向Ｘを規定する縦軸Ｖが鉛直方向の一つの縦軸に限定されずボールの中心を通り且つ鉛直軸（図１７のＶ）と横軸Ｈとの間において傾斜する無数の縦軸を含み、しかも、ねじり方向Ｚを規定する延長軸Ｅもアーム軸Ａと同一線上で延びる同軸に限定されずボールの中心を通り且つ同軸（図１７のＥ）と横軸Ｈとの間において傾斜する無数の縦軸を含むので、照明体８の柔軟且つ自在な姿勢変更を可能にする。
【００４０】
そして、前記中間手段４５の延長軸部４４及び／又は支軸部６１と照明体８の軸受手段５０、５０により、上述のような首振り回動手段が構成されるので、照明体８の首振り方向Ｙに対する姿勢変更をスムースに行うことができる。この際、照明体８は、軸部と軸受による構成であるから回動範囲を広範囲に形成することが可能であり、例えば、照明体８を図２に示す実線の位置から鎖線の位置まで回動せしめる他、更に鎖線の位置からアーム７の下側にほぼ重なるような位置まで回動可能に構成できるので、アーム７と照明体８をアセンブリした状態で梱包する際のコンパクト化が可能になる。
【００４１】
更に、本発明によれば、中間手段４５は、対向する球面状凹部を形成した半割り状のソケット片部４３ａ、４３ｂと、該ソケット片部から側方に延びる半割り状の延長軸片部４４ａ、４４ｂと、該延長軸片部の軸端に形成された半割り状の支軸片部６１ａ、６１ｂとを備えた一対の半割り状の分割体４５ａ、４５ｂを合掌せしめた状態で、合掌された延長軸片部４４ａ、４４ｂを相互に締着連結手段４９により連結することにより組立てられる構成であるから、構造簡単にして実施化が容易である。
【００４２】
特に、本発明によれば、分割体４５ａ、４５ｂを合掌せしめた状態で、一対の支軸片部６１ａ、６１ｂの対向面により相互に接当係止された係止面を構成する一方、一対のソケット片部４３ａ、４３ｂ及び一対の延長軸片部４４ａ、４４ｂの対向面により相互にギャップｄを介して離間された非係止面６３、６４を構成しているので、長期使用その他によりソケット部４３とボール部４１の間の摩擦抵抗が減少し、照明体８の旋回方向Ｘ及びねじり方向Ｚに対する動きの固さが緩くなったときは、ユーザにおいて締着連結手段４９のボルトを締着し直すことによりソケット部４３とボール部４１の間の摩擦抵抗を増加せしめ、照明体８の動きの固さを最適となるように調節することができる。そして、このような調節のため、締着連結手段４９によりソケット片部４３ａ、４３ｂ及び延長軸片部４４ａ、４４ｂを強く締着した場合でも、支軸片部６１ａ、６１ａは、常時、係止面６２において接当係止されているので、前記締着により支軸部６１の外径を縮径することはなく、前記締着の有無に関わらず常に軸受手段５０に好適に軸支せしめた状態を維持できるという効果がある。
【００４３】
この際、図示実施例の凹部６７のように、締着連結手段４９のボルト頭部を照明体８の外部から締着操作可能に構成しておけば、締着連結手段４９の締着調節を容易に行うことができ便利である。
【００４４】
また、中間手段４５の支軸部６１を調節自在に保持する調圧手段５３を設けておけば、首振り方向Ｙに対する照明体８の動きの固さを最適となるように調節することができ、更に、締着連結手段４９により延長軸片部４４ａ、４４ｂを締着したとき、前記係止面６２により支軸片部６１ａ、６１ｂの軸端を相互に拡開せしめる支点ｐを形成せしめておけば、締着連結手段４９の締着と同時に支軸部６１を調圧手段５３に対して好適に圧接せしめることができ、ボールジョイントの固さと首振り回動手段の固さを連動して調節可能に構成できる効果がある。
【図面の簡単な説明】
【図１】本発明の照明器具を装備したデスクの１例を示す斜視図である。
【図２】本発明の照明器具をデスクに装備せしめる際の第一の装着形態を示す縦断側面図である。
【図３】本発明の照明器具をデスクに装備せしめる際の第二の装着形態を示す縦断側面図である。
【図４】本発明の照明器具をデスクに装備せしめる際の第三の装着形態を示す縦断側面図である。
【図５】デスクに対する照明器具の装着部分を示しており、（Ａ）は図３におけるＡ部の拡大図、（Ｂ）は図４におけるＢ部の拡大図である。
【図６】デスクの書棚に対する照明器具の装着部分を示しており、書棚の背板を破断して示す照明器具の背面図である。
【図７】照明器具の支柱を示しており、（Ａ）は図６のＣ−Ｃ線拡大断面図、（Ｂ）は図５（Ａ）のＤ−Ｄ線拡大断面図である。
【図８】本発明の１実施形態の照明器具におけるアームと照明体の連結部分を示す横断面図である。
【図９】図８のＥ−Ｅ線拡大断面図である。
【図１０】図８のＦ−Ｆ線拡大断面図である。
【図１１】ボールジョイントと首振り回動手段の１実施形態を拡大して示す横断面図である。
【図１２】図１１のＪ−Ｊ線拡大断面図である。
【図１３】図１１のＧ−Ｇ線拡大断面図である。
【図１４】図１１のＨ−Ｈ線拡大断面図である。
【図１５】中間手段の１実施形態を拡大して示す横断面図である。
【図１６】中間手段のソケット部を拡大して示す縦断面図である。
【図１７】照明器具における照明体の旋回方向Ｘと首振り方向Ｙとねじり方向Ｚを説明する斜視図である。
【符号の説明】
１    照明器具
２    デスク
４    下側書棚
５    上側書棚
６    支柱
７    アーム
８    照明体
２６    外アーム
２７    内アーム
３４    シェード
３５    光源体
４０    支軸
４１    ボール部
４２    ボール手段
４３    ソケット部
４３ａ、４３ｂ  ソケット片部
４４    延長軸部
４４ａ、４４ｂ  延長軸片部
４５    中間手段
４５ａ、４５ｂ  分割体
４９    締着連結手段
５０    軸受手段
５１    固定軸受部
５２    可動軸受部
５３    調圧手段
６１    支軸部
６１ａ、６１ｂ  支軸片部
６２    係止面
６３、６４  非係止面
６５    貫通孔
６６    異径段部
６７    凹部
【図１】
0003800483.tif 000002
【図２】
0003800483.tif 000003
【図３】
0003800483.tif 000004
【図４】
0003800483.tif 000005
【図５】
0003800483.tif 000006
【図６】
0003800483.tif 000007
【図７】
0003800483.tif 000008
【図８】
0003800483.tif 000009
【図９】
0003800483.tif 000010
【図１０】
0003800483.tif 000011
【図１１】
0003800483.tif 000012
【図１２】
0003800483.tif 000013
【図１３】
0003800483.tif 000014
【図１４】
0003800483.tif 000015
【図１５】
0003800483.tif 000016
【図１６】
0003800483.tif 000017
【図１７】
0003800483.tif 000018